(57)【要約】      （修正有）【課題】皮膚に対して注射針を容易且つ正確に穿刺できる皮内注射用補助具を提供する。【解決手段】本発明の皮内注射用補助具１は、注射針２を保持する保持部３と、皮膚の表面に押し付けて皮膚を伸展させる伸展部４であって、前記注射針２の中心線を含み且つ該皮内注射用補助具１の横幅方向に広がる仮想平面上において、該中心線に沿う方向で前記注射針２の先端から所定距離だけ離間した位置に配置される伸展部４と、を備え、前記伸展部４は、前記仮想平面に対する傾斜角度が前記注射針２の穿刺角度の最小角度から最大角度までの範囲内の角度に設定される伸展面を有する。【選択図】図２
2019205792.tif 000002
【特許請求の範囲】
【請求項１】
注射針を保持する保持部と、
皮膚の表面に押し付けて皮膚を伸展させる伸展部であって、前記注射針の中心線を含み且つ横幅方向に広がる仮想平面上において、該中心線に沿う方向で前記注射針の先端から所定距離だけ離間した位置に配置される伸展部と、を備え、
前記伸展部は、前記仮想平面に対する傾斜角度が前記注射針の穿刺角度の最小角度から最大角度までの範囲内の角度に設定される伸展面を有する、
皮内注射用補助具。
【請求項２】
前記仮想平面上であり且つ前記横幅方向における前記注射針の両側に配置される一対の保護部を備える、
請求項１に記載の皮内注射用補助具。
【請求項３】
前記保護部は、前記横幅方向で前記注射針との間に間隔をあけて配置される、
請求項２に記載の皮内注射用補助具。
【請求項４】
前記保持部の先端部側の下面には、前記保持部の後端部側の下面よりも下方側に膨出する深刺抑制部が形成される、
請求項１乃至請求項３の何れか１項に記載の皮内注射用補助具。
【請求項５】
前記深刺抑制部の下面には、前記仮想平面に対する傾斜角度が前記注射針の穿刺角度の最小角度から最大角度までの範囲内の角度に設定される角度制限面が含まれる、
請求項４に記載の皮内注射用補助具。
【請求項６】
前記保護部の下面は、上方側に向かって凸状に湾曲する逃面となっている、
請求項２又は請求項３に記載の皮内注射用補助具。
【発明の詳細な説明】
【技術分野】
【０００１】
本発明は、皮内注射を補助するための皮内注射用補助具に関する。
【背景技術】
【０００２】
従来から、上記の皮内注射用補助具には種々のものが提案されている。例えば、特許文献１に開示されている皮内注射用補助具（皮内注射用のアダプタ）は、筒状であり且つ後端側から注射器を抜差可能なアダプタ本体部と、該アダプタ本体部の先端側に設けられた遠位部であって、皮膚を伸展させるための遠位部と、を備えたものである。
【０００３】
アダプタ本体部は、内部に差し込まれた注射器を軸線方向でスライドさせることができるように構成されている。
【０００４】
遠位部は、皮膚に押し付けられる皮膚接触主面であって、鈍角に屈曲した形状の皮膚接触主面を有する。より具体的に説明すると、皮膚接触主面には、アダプタ本体部の先端側の開口を遮るように形成された第一の皮膚接触主面と、該第一の皮膚接触主面からアダプタ本体部の軸線方向に沿って前方に延出する平坦な第二の皮膚接触主面とが含まれており、該第一の皮膚接触主面には、アダプタ本体部内に差し込まれた注射器の注射針（穿刺針）を出退可能な針用開口部が形成されている。
【０００５】
かかる皮内注射用のアダプタを用いて皮内注射を行う場合は、第一の皮膚接触主面で皮膚の一部を沈み込ませて伸展させ、さらに、第二の皮膚接触面を皮膚に当接させることでアダプタ本体部及び注射器の姿勢を皮膚表面（第二の皮膚接触面が当接している皮膚表面）に対して水平若しくは略水平にする。
【０００６】
そして、アダプタ本体部内で注射器を前進させると、穿刺針が針用開口から外部に進出し、これにより、皮膚表面に対して水平若しくは略水平な姿勢の穿刺針が伸展した皮膚に刺さる。
【０００７】
このように、前記皮内注射用のアダプタは、遠位部で皮膚を伸展させ且つ穿刺針の向きを定めた後に穿刺針を皮膚に刺すように構成されている。
【先行技術文献】
【特許文献】
【０００８】
【特許文献１】特許第５２１３９５０号公報
【発明の概要】
【発明が解決しようとする課題】
【０００９】
ところで、上記従来の皮内注射用のアダプタでは、第一の皮膚接触主面を皮膚に押し付けて皮膚を伸展させ且つ第二の皮膚接触主面を皮膚に当接させて注射器（穿刺針）の向きを定めた後に、第一の皮膚接触主面を皮膚に押し付けた状態を維持しながら穿刺針を皮膚に刺す必要があるが、第一の皮膚接触主面を皮膚に押し付けてから穿刺針を皮膚に刺すまでの間にアダプタが動いてしまい、穿刺針の穿刺位置や穿刺角度がずれてしまうことがある。
【００１０】
また、上記従来の皮内注射用のアダプタでは、第一の皮膚接触主面を皮膚に押し付ける操作、すなわち、皮膚を伸展させるための操作と、穿刺針を皮膚に刺すための操作とを別々に行う必要があるため、皮内注射を実施する手順が煩雑になる。
【００１１】
このように、上記従来の皮内注射用のアダプタを用いた皮内注射では、穿刺針を皮膚に対して正確に刺すことが難しく、また、穿刺針を皮膚に刺すまでの手順が煩雑なものであった。
【００１２】
そこで、本発明は、かかる実情に鑑み、皮内注射を行う際に皮膚に対して注射針を容易且つ正確に穿刺できる皮内注射用補助具を提供することを課題とする。
【課題を解決するための手段】
【００１３】
本発明の皮内注射用補助具は、
注射針を保持する保持部と、
皮膚の表面に押し付けて皮膚を伸展させる伸展部であって、前記注射針の中心線を含み且つ横幅方向に広がる仮想平面上において、該中心線に沿う方向で前記注射針の先端から所定距離だけ離間した位置に配置される伸展部と、を備え、
前記伸展部は、前記仮想平面に対する傾斜角度が前記注射針の穿刺角度の最小角度から最大角度までの範囲内の角度に設定される伸展面を有する。
【００１４】
上記構成の皮内注射用補助具によれば、前記仮想平面に対する伸展面の傾斜角度が、注射針の穿刺角度の範囲内の角度に設定されるため、伸展面を皮膚に当接させると、注射針が穿刺角度の範囲内で皮膚に対して傾く。
【００１５】
そして、伸展部を前方に移動させながら伸展面で皮膚を押し込むと、注射針の先端と伸展部との間の皮膚が伸展されるとともに、注射針が傾き（皮膚に対する傾き）を保ったまま皮膚に刺さる。
【００１６】
このように、上記構成の皮内注射用補助具は、皮膚を伸展させる操作の流れの中で、注射針を穿刺角度の最小角度から最大角度までの範囲内の角度で傾けたまま皮膚に刺すことができる。
【００１７】
本発明の皮内注射用補助具は、
前記仮想平面上であり且つ前記横幅方向における前記注射針の両側に配置される一対の保護部を備えていてもよい。
【００１８】
かかる構成によれば、前記仮想平面上における注射針の前方には伸展部が配置され、注射針の両側には保護部が配置されるため、注射針の周囲が伸展部と保護部とで囲まれる。従って、上記構成の皮内注射用補助具は、注射針が不用意に人体等に接触してしまうことを抑制でき、また、注射針が誤った姿勢で皮膚に刺さってしまうことを防止できる。
【００１９】
さらに、本発明の皮内注射用補助具において、
前記保護部は、前記横幅方向で前記注射針との間に間隔をあけて配置されていてもよい。
【００２０】
皮内注射では、真皮への注射液の注入に伴って皮膚の表面が部分的に膨らんで膨隆部となるが、上記構成の皮内注射用補助具によれば、注射針と該注射針の周囲に配置されている伸展部や保護部との間にスペースが形成されるため、膨隆部の形成、すなわち、真皮への注射液の注入が妨げられにくくなる。
【００２１】
本発明の皮内注射用補助具において、
前記保持部の先端部側の下面には、前記保持部の後端部側の下面よりも下方側に膨出する深刺抑制部が形成されていてもよい。
【００２２】
かかる構成によれば、保持部の先端部側の下面には、後端部側の下面よりも下方側に膨出する深刺抑制部が形成されるため、伸展面を皮膚に押し込む際に、該深刺抑制部が皮膚に当接したことを目安にして伸展面を押し込む操作、すなわち、皮膚に注射針を刺し込む操作を止めることができる。従って、上記構成の皮内注射用補助具は、注射針が皮膚に対して過剰に刺し込まれてしまうことを抑制できる。
【００２３】
この場合、前記深刺抑制部の下面には、前記仮想平面に対する傾斜角度が前記注射針の穿刺角度の最小角度から最大角度までの範囲内の角度に設定される角度制限面が含まれていてもよい。
【００２４】
かかる構成によれば、誤って伸展部を皮膚に当接させずに注射針を皮膚に穿刺してしまった場合であっても、保持部の外底部に形成された角度制限面が皮膚に当接すれば、注射針が穿刺角度の最小角度から最大角度までの範囲内の角度で傾くため、使用手順を誤った場合であっても、注射針の穿刺角度が許容範囲を超えてしまうことを抑制できる。
【００２５】
本発明の皮内注射用補助具において、
前記保護部の下面は、上方側に向かって凸状に湾曲する逃面となっていてもよい。
【００２６】
かかる構成によれば、保護部によって皮膚が圧迫されにくくなるため、真皮に注射液を注入する際に、膨隆部の形成を阻害しないようにすることができる（すなわち、真皮への注射液の注入を阻害しないようにすることができる）。
【発明の効果】
【００２７】
以上のように、本発明の皮内注射用補助具は、皮内注射を行う際に皮膚に対して注射針を容易且つ正確に穿刺できる、という優れた効果を奏し得る。
【図面の簡単な説明】
【００２８】
【図１】図１は、本発明の一実施形態に係る皮内注射用補助具の斜視図である。
【図２】図２は、同実施形態に係る皮内注射用補助具の平面図である。
【図３】図３は、同実施形態に係る皮内注射用補助具の側面図である。
【図４】図４は、同実施形態に係る皮内注射用補助具の縦断面図である。
【図５】図５は、同実施形態に係る皮内注射用補助具の使用状態の説明図であって、（ａ）は伸展面を皮膚に当接させる際の説明図であり、（ｂ）は伸展させた皮膚に注射針が刺さる直前の説明図である。
【図６】図６は、同実施形態に係る皮内注射用補助具の使用状態の説明図であって、（ａ）は伸展させた皮膚に注射針を刺した状態の説明図であり、（ｂ）は真皮の内側に注射液を注入している状態の説明図である。
【図７】図７は、本発明の他実施形態に係る皮内注射用補助具の側面図である。
【図８】図８は、図７に示す皮内注射用補助具の縦断面図である。
【図９】図９は、本発明の別の実施形態に係る皮内注射用補助具の側面図である。
【図１０】図１０は、図９に示す皮内注射用補助具の縦断面図である。
【発明を実施するための形態】
【００２９】
以下、本発明の一実施形態に係る皮内注射用補助具について添付図面を参照しつつ説明を行う。本実施形態に係る皮内注射用補助具は、皮内注射を行う際に用いるものである。なお、本実施形態では、皮内注射用補助具の横幅に対応する方向を横幅方向、皮内注射用補助具の高さに対応する方向を高さ方向、横幅方向と高さ方向とに直交する方向を前後方向、と称する。
【００３０】
皮内注射用補助具は、図１に示すように、注射針２を保持する保持部３と、皮膚の表面に押し付けることで皮膚を伸展させる伸展部４であって、前記注射針２の中心線を含み且つ前記横幅方向に広がる仮想平面上において、該中心線に沿って前記注射針２の先端から所定距離だけ離間するように配置される伸展部４と、該伸展部４と前記保持部３とを接続する接続アーム部５とを有する。
【００３１】
保持部３は、図４に示すように、注射器６が取り付けられる注射器用取付部３０と、該注射器用取付部３０に設けられ且つ注射針２が取り付けられる注射針用取付部３１と、注射針用取付部３１の周囲に広がるベース部３２（図２参照）と、を有する。
【００３２】
注射器用取付部３０には、注射器６のノズル６０を挿入可能である。より具体的に説明すると、注射器用取付部３０は、筒状のノズル挿入部３００と、ノズル挿入部３００の軸線方向における後端側の外面から径方向外方に向かって突出する突出部３０１と、を有する。
【００３３】
ノズル挿入部３００の内周面は、後端側から先端側になるにつれて内径が徐々に小さくなるようにテーパー状に形成されていてもよい。
【００３４】
突出部３０１は、ノズル挿入部３００の外周面に対して、周方向（ノズル挿入部３００の外周面の周方向）で間隔をあけて複数設けられている。本実施形態では、２つの突出部３０１がノズル挿入部３００の外周面に設けられているが、突出部３０１の数は、１つであっても３つ以上であってもよい。
【００３５】
注射針用取付部３１は、注射器用取付部３０の先端側の開口を塞ぐように形成されている。また、注射針用取付部３１は、注射器用取付部３０の先端から延出するように形成されており、基端から先端に亘って連続する貫通孔３１０が形成されており、この貫通孔３１０に対して注射針２が挿通されている。
【００３６】
貫通孔３１０は、ノズル挿入部３００の軸線が延びる方向とほぼ同方向に沿って延びるように形成されている。そのため、保持部３では、注射器用取付部３０に取り付けた注射器６の向き（注射器６の軸線が延びる方向）と、注射針２（注射針２の中心線が延びる方向）とが一致又は略一致するように構成されている。なお、図４においては、注射針２の中心線を「ＣＬ」で示している。
【００３７】
また、本実施形態では、前記高さ方向において、注射器用取付部３０の中心から下方側にずれた位置に貫通孔３１０が形成されている。そのため、前記高さ方向においては、注射針２が、注射器用取付部３０に取り付けた注射器６の中心（径方向における中心）よりも下方側に位置することになる。
【００３８】
ベース部３２は、図２に示すように、薄板状に形成されており、前記横幅方向における注射針用取付部３１の両側に広がっている。
【００３９】
本実施形態に係る保持部３では、ベース部３２の先端面と注射針用取付部３１の先端面とが連続しており、これにより、前記前後方向における後方側に凸となるように湾曲する一つの湾曲面３３が形成されている。
【００４０】
伸展部４は、注射針２の中心線を含む仮想平面上において、該中心線に沿って注射針２の先端から所定距離だけ前方に離れた位置（ずれた位置）に配置されている。そのため、伸展部４と注射針２の先端との間には空間が形成されている。
【００４１】
さらに、伸展部４は、図４に示すように、人体の皮膚（表皮の表面）に当接させる伸展面４０と、該伸展面４０から膨出する膨出部４１とを有する。なお、図４においては、伸展面４０が広がる平面を「Ｐ１」で示している。
【００４２】
伸展面４０は、仮想平面に対する傾斜角度が注射針２の穿刺角度の最小角度から最大角度までの範囲内の角度に設定されている。伸展面４０は、伸展部４の下面（前記高さ方向における下側の面）により構成されている。
【００４３】
なお、穿刺角度とは、注射針２の先端を真皮に到達させるうえで、好適な注射針２の傾きのことである。仮想平面に対する伸展面４０の傾斜角度は、１°〜４５°の範囲内で設定できるが、５°〜３０°の範囲内で設定されていることが好ましく、５°〜１５°の範囲内で設定されていることがより好ましい。なお、マントー法による皮内注射では、注射針２の穿刺角度が５°〜１５°となるため、仮想平面に対する伸展面４０の傾斜角度が５°〜１５°の範囲内で設定されている場合は、注射針２をマントー法による皮内注射に適した角度に傾け易くなる。
【００４４】
膨出部４１は、伸展面４０から下方側に向かって膨出している。なお、膨出部４１の数は、複数であってもよいし、一つだけであってもよい。
【００４５】
図２に示すように、本実施形態の伸展部４は、前記横幅方向における中央部にスリット４２が形成されており、前記横幅方向で二つに分断されている。そのため、伸展部４は、前記横幅方向で間隔をあけて並ぶ一対の押圧部４３を有している。また、本実施形態では、伸展面４０が、各押圧部４３の下面（前記高さ方向における下面）により構成されている。
【００４６】
接続アーム部５は、前記横幅方向で注射針２と並ぶ位置に形成されている。また、接続アーム部５と注射針２とは前記横幅方向で互いに間隔をあけて並んでいる。本実施形態では、かかる接続アーム部５が、前記横幅方向で注射針２の一方側と他方側とに個別に設けられている。なお、接続アーム部５は、注射針２と人体等との不用意な接触を防止するための保護部でもある。
【００４７】
各接続アーム部５の前記横幅方向における内側の側面（以下、内縁面と称する）５０は、前記横幅方向における外側に凸となるように湾曲している。すなわち、各接続アーム部５の内縁面は、前記横幅方向において互いに相反する方向に向かって凸となるように湾曲している。
【００４８】
各接続アーム部５の下面は、前記高さ方向における上方側に向かって凸となるように湾曲する逃面５１となっている（図３参照）。
【００４９】
ここで、押圧部４３について説明する。押圧部４３は、図２に示すように、各接続アーム部５の先端に個々に設けられている。
【００５０】
各押圧部４３は、接続アーム部５の先端から前記横幅方向における内側に向かって延出しており、各押圧部４３の先端部は、前記横幅方向で間隔をあけて互いに対向している。
【００５１】
各押圧部４３の先端面４３０（前記前後方向における先端面）は、前記横幅方向に沿って真っすぐに形成されている。
【００５２】
一方、各押圧部４３の後端面４３１（前記前後方向における後端面）は、前記横幅方向における内側に向かうにつれて徐々に前方に向かうように湾曲している。
【００５３】
そして、本実施形態では、各押圧部４３の後端面４３１、各接続アーム部５の内縁面、保持部３の湾曲面３３が連続して一つの円弧状の曲面が形成されており、これにより、注射針２の先端部の周りには、該先端部を中心として円形状に広がる領域が形成されている。
【００５４】
本実施形態に係る皮内注射用補助具１の構成は以上の通りである。続いて、皮内注射用補助具１の使い方について添付図面を参照しつつ説明を行う。なお、図５（ａ）に示すように、皮膚Ｓ１は皮下組織Ｓ２の上に重なっており、さらに、皮膚Ｓ１には、皮膚Ｓ１の外表面を構成する表皮Ｓ１０と、表皮Ｓ１０と皮下組織Ｓ２との間の真皮Ｓ１１とが含まれている。
【００５５】
まず、皮内注射用補助具１を注射器６に取り付ける。図４に示すように、注射器６がルアーロック部６１を有するものである場合は、突出部３０１をルアーロック部６１に螺合させつつ、ノズル６０を注射器用取付部３０の内部に圧入する。注射器用取付部３０に取り付けられた注射器６の軸線方向と注射針２の中心線とは、同一又は略同一の方向に沿って延びている。
【００５６】
続いて、図５（ａ）に示すように、伸展面４０を皮膚Ｓ１（表皮Ｓ１０）の表面に対して平行にして当接させる。伸展面４０は、注射針２に対して穿刺角度の最小角度から最大角度までの範囲内の角度で傾いているため、該伸展面４０を皮膚Ｓ１の表面に当接させると、注射針２が皮膚Ｓ１の表面に対して穿刺角度の最小角度から最大角度までの範囲内の角度で傾き、注射器６もまた、皮膚Ｓ１の表面に対して注射針２と同一の角度又は略同一の角度で傾く。
【００５７】
伸展部４は、注射針２の先端から所定距離だけ離間するように配置されているため、伸展面４０は、注射針２を穿刺する予定位置よりも前方の領域で皮膚Ｓ１に当接する。以下の説明において、皮膚Ｓ１のうち、伸展面４０が当接する領域を押圧領域、注射針２を穿刺する予定位置を含む押圧領域の後ろ側の領域を後方領域と称する。
【００５８】
そして、皮膚Ｓ１に対して伸展面４０がずれないようにしながら、注射針２の中心線が延びる方向に沿って注射器６ごと皮内注射用補助具１を前進させて伸展面４０を皮膚Ｓ１に押し込む。
【００５９】
このようにすると、図５（ｂ）に示すように、押圧領域が凹むとともに、後方領域が前方に引き伸ばされる（伸展する）。また、後方領域は、押圧領域との境目となる位置が最も深く沈み込むが、押圧領域との境目よりも後ろ側の部分は、皮膚Ｓ１の弾力によって膨らむため、注射針２の穿刺進路上に該後方領域の一部がさしかかる。
【００６０】
そして、皮内注射用補助具１を移動させ続けると、注射針２が角度を保ったまま後方領域に刺さり、図６（ａ）に示すように、注射針２の先端部が表皮Ｓ１０を貫いて真皮Ｓ１１に到達する。この状態で注射器６内の注射液を注入すると、図６（ｂ）に示すように、真皮Ｓ１１が膨らんで膨隆部Ｓ１２が形成される。
【００６１】
そして、皮内注射用補助具１を後退させて皮膚Ｓ１から注射針２を引き抜き、皮内注射が完了する。
【００６２】
以上のように、本実施形態に係る皮内注射用補助具１によれば、仮想平面（注射針２）に対する傾斜角度が前記穿刺角度の最小角度から最大角度までの範囲内の角度に設定されている伸展面４０が、注射針２の中心線に沿う方向で、注射針２の先端から所定距離だけ離間した位置に配置されているため、伸展面４０を皮膚Ｓ１に押し込みながら伸展部４を前方に移動させるだけで、注射針２の先端と伸展部４の間の皮膚Ｓ１が伸展されるとともに、注射針２が傾き（皮膚Ｓ１に対する傾き）を保ったまま皮膚Ｓ１に刺さる。
【００６３】
このように、上記構成の皮内注射用補助具１は、皮膚Ｓ１を伸展させる操作の流れの中で、注射針２を穿刺角度の最小角度から最大角度までの範囲内の角度で傾けたまま皮膚Ｓ１に刺すことができる。従って、皮内注射用補助具１は、皮内注射を行う際に皮膚Ｓ１に対して注射針２を容易且つ正確に穿刺できる、という優れた効果を奏し得る。
【００６４】
また、伸展面４０を皮膚Ｓ１の表面に当接させた時点で、注射針２の向きと、注射針２と伸展部４が並ぶ方向とが、皮膚Ｓ１に注射針２を刺す方向に揃うため、所定の一方向に皮内注射器補助具１を移動させるだけで（すなわち、皮内注射器補助具１を移動させる方向を変えずに）皮膚Ｓ１を伸展させ、該皮膚Ｓ１に対して注射針２を皮内注射に適した角度のまま刺すことができる。
【００６５】
なお、本実施形態では、伸展面４０を皮膚Ｓ１の表面に当接させた時点で、注射器６の向きも皮膚Ｓ１に注射針２を刺す方向に揃うため、注射器６を手に持った状態で皮内注射用補助具１を動かして伸展部４を皮膚Ｓ１に押し込む際に、注射針２の姿勢を保ち易くすることができる。
【００６６】
また、注射針２の前方には伸展部４が、注射針２の両隣り、より具体的には、仮想平面上で且つ前記横幅方向における前記注射針２の両側には一対の接続アーム部５（保護部）が設けられているため、注射針２の周囲が伸展部４と一対の接続アーム部５とによって囲まれ、注射針２が不用意に人体等に接触してしまうことを抑制でき、また、注射針２が誤った姿勢で皮膚Ｓ１に刺さってしまうことを防止できる。
【００６７】
さらに、注射針２と接続アーム部５との間には、スペースが形成されているため、真皮Ｓ１１に注射液を注入した際に、膨隆部Ｓ１２の形成、すなわち、真皮Ｓ１１への注射液の注入が妨げられにくくなる。
【００６８】
また、接続アーム部５の下面は、上方側に向かって凸状に湾曲する逃面５１となっているため、該接続アーム部５の下面によって皮膚が圧迫されにくくなり、真皮Ｓ１１に注射液を注入する際に膨隆部Ｓ１２の形成を阻害しないようにすることができる（すなわち、真皮Ｓ１１への注射液の注入を阻害しないようにすることができる）。
【００６９】
なお、本発明の皮内注射用補助具は、上記実施形態に限定されるものではなく、本発明の要旨を逸脱しない範囲内において種々の変更を加え得ることは勿論である。
【００７０】
上記実施形態では特に言及していなかったが、保持部３の先端側の下面（本実施形態では、注射針用取付部３１の下面とベース部３２の下面とで構成される一面）は、仮想平面に対する傾斜角度が前記穿刺角度の最小角度となるように形成されていてもよい。
【００７１】
上記実施形態では、注射器用取付部３０を、ルアーロック部６１を有する注射器６に取り付けることを前提にして説明したが、ルアーロック部６１を持たない注射器６に取り付けることも可能である。
【００７２】
上記実施形態において、注射器用取付部３０は、ルアーロック部６１に螺合させる突出部３０１を有するように構成されていたが、この構成に限定されない。例えば、注射器用取付部３０には突出部３０１が設けられていなくてもよい。なお、突出部３０１を持たない注射器用取付部３０であっても、ルアーロック部６１を有する注射器６のノズルに対して該注射器用取付部３０の注射器用取付部３０を圧入することは可能である。
【００７３】
上記実施形態において、注射針用取付部３１の貫通孔３１０は、注射器用取付部３０の径方向における中心よりも下方側にずれた位置に形成されていたが、この構成に限定されない。例えば、注射針用取付部３１の貫通孔３１０は、注射器用取付部３０の径方向における中心を通って軸線方向（注射器用取付部３０の軸線方向）に延びる直線上に形成されていてもよい。但し、注射器用取付部３０の径方向における中心よりも下方側にずれた位置に貫通孔３１０が形成されている方が、伸展面４０を皮膚に当接させた際に注射針２を皮膚の近くに配置できるため、皮内注射を行い易くなる。
【００７４】
上記実施形態において特に言及しなかったが、伸展部４のスリット４２の幅は、皮膚の後方領域を伸展させることができる範囲内で設定されていればよい。
【００７５】
上記実施形態において、伸展部４は、前記横幅方向で二つに分断されていたが、分断されることが必ずしも必要となるものではない。
【００７６】
上記実施形態において特に言及しなかったが、図７、及び図８に示すように、保持部３の先端部側の下面（具体的には、注射針用取付部３１の下面とベース部３２の下面とで構成される一面）には、前記保持部３の後端部側の下面よりも下方側に膨出する深刺抑制部３４が形成されていてもよい。
【００７７】
かかる構成によれば、保持部３の先端部側の下面には、後端部側の下面よりも下方側に膨出する深刺抑制部３４が形成されるため、伸展面４０を皮膚Ｓ１に押し込む際に、該深刺抑制部３４が皮膚Ｓ１に当接したことを目安にして伸展面４０を押し込む操作、すなわち、皮膚Ｓ１に注射針２を刺し込む操作を止めることができる。従って、上記構成の皮内注射用補助具１は、注射針２が皮膚Ｓ１に対して過剰に刺し込まれてしまうことを抑制できる。
【００７８】
また、前記深刺抑制部３４の下面には、仮想平面に対する傾斜角度が前記注射針の穿刺角度の最小角度から最大角度までの範囲内の角度に設定される角度制限面３４０が含まれていてもよい。なお、図８においては、注射針２の中心線を「ＣＬ」、伸展面４０が広がる平面を「Ｐ１」、角度制限面３４０が広がる平面を「Ｐ２」で示している。
【００７９】
かかる構成によれば、誤って伸展部４を皮膚Ｓ１に当接させずに注射針２を皮膚Ｓ１に穿刺してしまった場合であっても、保持部３の外底部に形成された角度制限面３４０が皮膚Ｓ１に当接すれば、注射針２が穿刺角度の最小角度から最大角度までの範囲内の角度で傾くため、使用手順を誤った場合であっても、注射針２の穿刺角度が許容範囲を超えてしまうことを抑制できる。
【００８０】
なお、図９、図１０に示すように、前記深刺抑制部３４の下面を注射針２の中心線が延びる方向に一致又は略一致させることも可能であり、この場合は、注射針２が皮膚Ｓ１に対して過剰に刺し込まれてしまうことを抑制できる効果が高まる。
【符号の説明】
【００８１】
１…皮内注射用補助具、２…注射針、３…保持部、４…伸展部、５…接続アーム部、６…注射器、３０…注射器用取付部、３１…注射針用取付部、３２…ベース部、３３…湾曲面、３４…深刺抑制部、４０…伸展面、４１…膨出部、４２…スリット、４３…押圧部、５０…内縁面、５１…逃面、６０…ノズル、６１…ルアーロック部、３００…ノズル挿入部、３０１…突出部、３１０…貫通孔、３４０…角度制限面、Ｓ１…皮膚、Ｓ１０…表皮、Ｓ１１…真皮、Ｓ１２…膨隆部、Ｓ２…皮下組織
【図１】
2019205792.tif 000003
【図２】
2019205792.tif 000004
【図３】
2019205792.tif 000005
【図４】
2019205792.tif 000006
【図５】
2019205792.tif 000007
【図６】
2019205792.tif 000008
【図７】
2019205792.tif 000009
【図８】
2019205792.tif 000010
【図９】
2019205792.tif 000011
【図１０】
2019205792.tif 000012